(57)【要約】【課題】幅の省スペース化と、厚さの低背化を図ることのできる、カバーとベースの嵌合ロック機構を有するカード用コネクタの実現。【解決手段】カバー部４は金属板製とし、天板部41とその左右両側を下方へ折り曲げカバー側板部42とし、ベース部３は樹脂製で底板部31とその左右両側から立ち上るベース側板部32を設け、カバー側板とベース側板のいずれか一方に嵌合外れ止めの係止穴43を、他方に係止突部34を設けるとともに、カバー部の折り曲げ部の一部に天板から側板へかけリターン形のカットをし、折り曲がらないで天板と同一面を有する平坦部45を設け、ベース側板の頂部で前記平坦部に対応する位置に、カバーとベースを嵌めたとき前記平坦部下面に当接する突き当て突部35を設ける。【選択図】図２
2010238468.tif 000002
【特許請求の範囲】
【請求項１】
カードを挿入するためのカードスロットを有するハウジングと、挿入されたカードの端子部と接続されるコンタクトを有するカード用コネクタであって、
前記ハウジングは、樹脂製のベース部と、金属板製のカバー部とからなり、
前記ベース部は、底板部と該底板部のカード挿入方向に対する左右両側から起立する２つの側板部を有し、
前記カバー部は、天板部と該天板部のカード挿入方向に対する左右両側から折り曲げ加工により垂下する２つの側板部を有し、
前記ベース部の側板部は、前記カバー部の側板部の内側に嵌め合わせる構造であり、
前記カバー部の折り曲げ部の一部に天板部から側板部へかけてリターン形のカットをし、折り曲がらないで下面が天板部の下面と同一面で突出する平坦部を有し、
前記ベース部の側板部の頂部に、カバー部とベース部を嵌め合わせたときに前記平坦部の下面に突き当たる突き当て突部を有し、
前記ベース部の側板部とカバー部の側板部のいずれか一方に係止突部を有し他方に対応係止する係止穴を有することを特徴とするカード用コネクタ。
【請求項２】
前記カバー部の側板部の、前記平坦部に対応する位置に前記係止穴を有し、前記ベース部の側板部の突き当て突部の下方に前記係止突部を有することを特徴とする請求項１記載のカード用コネクタ。
【請求項３】
前記ベース部の側板部は、金属板で形成されていることを特徴とする請求項１又は請求項２記載のカード用コネクタ。
【請求項４】
前記ベース部の側板部は、その下部に断面で見た場合Ｌ型に折れ曲がった埋設板部を有し、該埋設板部を前記樹脂製のベース部にモールドインすることにより埋設保持されていることを特徴とする請求項３記載のカード用コネクタ。
【請求項５】
前記コンタクトは弾性片からなり、前記ベース部の底板部に一部が埋設されて保持されていることを特徴とする請求項１ないし４のいずれか１項に記載のカード用コネクタ。
【発明の詳細な説明】
【技術分野】
【０００１】
本発明は、ベース部とカバー部とを嵌め合うことによって構成されるカード用コネクタにおいて特に幅方向における省スペース化と厚さ方向における低背化を図ることのできる、ベース部とカバー部の嵌め合いロック機構に関するものである。
【背景技術】
【０００２】
従来の、カード用コネクタのベース部とカバー部の嵌め合い構造としては、図５および図６に示す構造のものがある。
まず、図５について説明する。（ａ）はカバー部１０の斜視図であり、金属板をコの字に折り曲げた構造をしており、そのカバー側壁には係止穴１４が複数箇所に設けられている。両側の折り曲げ部分は直角折り曲げではなく、或る程度の曲げ半径を持った曲げＲ部１２となっている。
（ｂ）は（ａ）のカバー部１０が被せられるベース部１５の斜視図である。そのベース側壁１７には、カバー部１０の係止穴１４に対応する位置に係止突起１８が設けられている。
【０００３】
カバー部１０の左右のカバー側壁１３間の内幅寸法は、ベース部１５の左右のベース側壁１７間の外幅寸法より僅かに大きい程度であるので、カバー部１０をベース部１５に被せたときにはカバー側壁１３の下辺が係止突起１８に当接するが係止突起１８の上面は下り傾斜になっているので、左右のカバー側壁１３が弾性的に拡がって乗り上り、係止突起１８が係止穴１４に完全に嵌ったときに復帰し係止突起１８の下面に係止穴１４の下辺が係り、カバー部１０が上方へ移動するのを阻止する。
それと同時に、ベース部１５のベース側壁１７頂部の平坦部１９がカバー部１０の天板部４１の下面の平面部分に当接することによりカバー部１０が更に深く被さることを阻止している。ここで、カバー部１０の左右の折り曲げ部分の角は曲面状の曲げＲ部１２になっているので、これに応じてベース側壁１７の頂部外側部分は一定幅の斜面である面取り部２０となっている。こうすることによってベース側壁１７の平坦部１９がカバー部１０の天板部４１の平坦下面と対向し得るようになっている（例えば、特許文献１参照）。
【０００４】
図５の（ｃ）は、このような関係を一部断面図で示したものである。曲げＲ部１２の丸味に応じて面取り部２０が設けられている。その理由は、もしこの面取り部２０がない角のままの場合には、角部分が曲げＲ部１２に当接してしまいベース側壁１７頂部の平面が天板部４１の下面の平面部分に当接することができず、カバー部１０が下方へ下ることに対する阻止が不安定になってしまうからである。
【０００５】
次に、図６の構造について説明する。
（ａ）は、カバー部２４の斜視図であり、カバー側壁２５にはＬ字切欠きが複数箇所設けられている。（ｂ）は、ベース部２９の斜視図であり、ベース側面３０に、カバー側壁２５のＬ字切欠き２６に対応する係止突起３６が複数個設けられている。図５の構造と異なる点は、図５のベース側壁１７のように底壁部１６から立ち上りその頂部（平坦部１９）が天板部４１の下面に接するというような構造にはなっていない点である。カバー部２４を被せるときには、係止突起３６が、Ｌ字切欠き２６の縦切欠き２７に入るようにして嵌め合わせ、次いでカバー部２４を左方へ移動させることにより係止突起３６が横切欠き２８に入り横切欠き２８の上縁と下縁が係止突起３６を挟むことによりカバー部２４の上下の動きをロックする構造となっている（例えば、特許文献２参照）。
【先行技術文献】
【特許文献】
【０００６】
【特許文献１】特開２００８−１８１７９２号公報（図２）
【特許文献２】特開２００６−１９６２８５号公報（段落［００１７］、図３）
【発明の概要】
【発明が解決しようとする課題】
【０００７】
しかしながら、上記各従来技術の構造ではそれぞれ次のような問題がある。
まず、図５の構造では、（ｃ）の図から分かるようにベース側壁１７の厚みが、面取り部２０の水平方面幅と平坦部１９の幅の和となり、曲げＲ部１２の曲率半径より大きくなり、幅方向での省スペース化が困難であるという問題がある。
【０００８】
次に、図６の構造では、（ｃ）に示すように、ベース部２９の厚みとして、係止突起３６の上下寸法とカバー部２４の水平寸法突片５４の上下幅の和となるが、水平方向突片５４の上下幅は或る程度の強度を持たせるために狭くできないため低背化が困難になるという問題がある。
【０００９】
本発明の解決課題は、上記従来技術の問題点に鑑みて、カード用コネクタの幅方向における省スペース化と厚さ方向における低背化を図ることのできるカバー部とベース部の嵌合ロック構造を有するカード用コネクタの実現にある。
【課題を解決するための手段】
【００１０】
本発明は、上記の課題を解決するために以下の各手段構成を有する。
本発明の第１の構成は、カードを挿入するためのカードスロットを有するハウジングと、挿入されたカードの端子部と接続されるコンタクトを有するカード用コネクタであって、前記ハウジングは、樹脂製のベース部と、金属板製のカバー部とからなり、前記ベース部は、底板部と該底板部のカード挿入方向に対する左右両側から起立する２つの側板部を有し、前記カバー部は、天板部と該天板部のカード挿入方向に対する左右両側から折り曲げ加工により垂下する２つの側板部を有し、前記ベース部の側板部は、前記カバー部の側板部の内側に嵌め合わせる構造であり、前記カバー部の折り曲げ部の一部に天板部から側板部へかけてリターン形のカットをし、折り曲がらないで下面が天板部の下面と同一面で突出する平坦部を有し、前記ベース部の側板部の頂部に、カバー部とベース部を嵌め合わせたときに前記平坦部の下面に突き当たる突き当て突部を有し、前記ベース部の側板部とカバー部の側板部のいずれか一方に係止突部を有し他方に対応係止する係止穴を有することを特徴とするカード用コネクタである。
【００１１】
本発明の第２の構成は、前記第１の構成において、前記カバー部の側板部の、前記平坦部に対応する位置に前記係止穴を有し、前記ベース部の側板部の突き当て突部の下方に前記係止突部を有することを特徴とするカード用コネクタである。
【００１２】
本発明の第３の構成は、前記第１の構成又は第２の構成において、前記ベース部の側板部は、金属板で形成されていることを特徴とするカード用コネクタである。
【００１３】
本発明の第４の構成は、前記第３の構成において、前記ベース部の側板部は、その下部に断面で見た場合Ｌ型に折れ曲がった埋設板部を有し、該埋設板部を前記樹脂製のベース部にモールドインすることにより埋設保持されていることを特徴とするカード用コネクタである。
【００１４】
本発明の第５の構成は、前記第１の構成ないし第４の構成のいずれかの構成において、前記コンタクトは弾性片からなり、前記ベース部の底板部に一部が埋設されて保持されていることを特徴とするカード用コネクタである。
【発明の効果】
【００１５】
本発明の第１の構成（基本構成）では、ベース部へ被せたカバー部が外れない（上らない）ようにする係止機構としてはカバー部の側板部とベース部の側板部のいずれか一方に設けた係止突部と他方に設けた係止穴を有するというもので、図６のようなＬ字切欠きは用いていないので図６のような厚いベース部を必要とせず、低背化が可能であるという効果がある。
【００１６】
また、被せたカバー部が被せる方向に行き過ぎないようにする係止機構として、カバー部の折り曲げ部の一部分に平坦部と、ベース部の側板部の頂部に突き当て突部を設け、突き当て突部を平坦部に当接させることによりカバー部とベース部はそれ以上接近しないという構造になっており、その平坦部はカバー部の折り曲げ部の一部をリターン形にカットしてその部分は折り曲げずに天板部の下面と同一面を維持しており、この平坦部下面にベース部の側板部の頂部の突き当て突部が当接してカバー部のそれ以上の前進を停止させるという構造であるので、ベース部の側板部に図５の（ｂ）の面取り部２０のような面取りが必要なく、そのため側板部の厚さを薄くでき余分なスペースを必要とせず、従来のカード用コネクタに較べて、幅方向における省スペース化が可能になるという効果がある。
【００１７】
本発明第２の構成においては、カバー部の側板部に、平坦部形成のためのリターンカットによってできた穴を係止穴としているので、平坦部と係止穴が一挙に形成でき製造工程を節減できる利点があるとともに、ベース部の側板部に設ける係止突部は、突き当て突部の下方に位置することになり、カバー部の外れ阻止と進み過ぎ阻止の機構が上下に並び確実な阻止機能を果すことができるという効果がある。
【００１８】
本発明第３の構成においては、ベース部の側板部が樹脂よりも強度のある金属板で形成されているので、樹脂製の場合よりも薄くでき幅方向の省スペース化に寄与するという効果がある。
【００１９】
本発明第４の構成においては、ベース部の金属板の側板部の下部が断面で見るとＬ型に折れ曲がった埋設部を有し、この部分をベース部の底板部に埋設するようにモールドインするので工程が簡単であるとともに強度も充分得られるという効果がある。
【００２０】
本発明第５の構成においては、コンタクトは弾性片からなり、その一部がベース部の底板部に埋設されているので堅固に固定され、カードの電極との接触も確実に得られるという効果がある。
【図面の簡単な説明】
【００２１】
【図１】本発明のカード用コネクタの実施例の斜視図であり、（ａ）はベース部にカバー部を被せカードを挿入していない状態の斜視図であり、（ｂ）はカードを挿入した状態の斜視図である。
【図２】図１の（ａ）の状態からカバー部を外した状態の図であって、（ａ）がカバー部の斜視図であり、（ｂ）がベース部の斜視図である。
【図３】（ａ）は、図２の（ｂ）のベース部を斜め左上から見下ろした詳細斜視図であり、（ｂ）は（ａ）にカバー部を被せた状態の斜視図である。
【図４】図３の（ｂ）において、線ＬによってＡ−Ａの方へ切断した断面を右側から見た詳細断面図である。
【図５】従来のカード用コネクタにおけるカバー部とベース部の嵌合構造の第１の例の斜視図と断面図である。
【図６】従来のカード用コネクタにおけるカバー部とベース部の嵌合構造の第２の例の斜視図と断面図である。
【発明を実施するための形態】
【００２２】
本発明の実施の形態は、天板部のカード挿入方向に対する左右両側から折り曲げ加工により垂下する側板部を有する金属性カバー部を、底板部のカード挿入方向に対する左右両側から起立する側板部を有するベース部に被せた状態で、カバー部が簡単に外れないようにロックされるとともに深く被さり過ぎないように係止して、カードスロットを確保するカード用コネクタにおいて、カバー部の天板部と側板部との境目（折り曲げ部分）の内側に生ずる曲面曲がり部分による幅方向の無駄スペースをなくして省スペース化を図るものであって、先ず、カバー部とベース部が意図に基づかずに外れることを防止するロック機構としては、カバー部の側板部かベース部の側板部のいずれか一方に係止突部を設け、他方に係止穴を設けるという形態にしている。
【００２３】
次に、カバー部がベース部に深く被さり過ぎないように係止する機構としては、カバー部の折り曲げ部の複数箇所に天板部から側板部へかけて逆さＵ字状の打ち抜き（リターン形のカット）を行って、この部分の下面は天板部の下面に続く同一平面を保たせ平坦部とし、他方、ベース部の側板部の頂部の前記平坦部に対応する位置に平坦部に突き当てる突き当て突部を設け、カバー部をベース部に被せたときに平坦部が突き当て突部に当接したところでそれ以上は行かないという構造を採用している。
【００２４】
このように平坦部には、他の折り曲げ部分のように曲面部分（曲げＲ部）がないため、突き当て突部の外面は側板部の外面と面一でよく、面取りが必要ないので、従来の図５におけるように面取部２０を設けることによりベース側壁が厚くなるという問題はなくなり省スペース化が図れるという利点がある。
【００２５】
なお、カバー部に前述の平坦部を設けるときに側板部にかけてできる穴をカバー外れ防止の係止機構の係止穴とすれば、平坦部と係止穴が同時に加工でき製造が容易になり低価格化も図ることができる。
その結果、係止突起は、ベース部の側板部上で前記突き当て突部の下部辺りに設けることになる。
【実施例】
【００２６】
以下、本発明のカード用コネクタの実施例を図面を参照して説明する。
図１は、本発明のカード用コネクタ１の実施例の斜視図であり、（ａ）はベース部３にカバー部４を被せ、カードを挿入していない状態の斜視図であり、（ｂ）はカード９を挿入した状態の斜視図である。
図２は、図１の（ａ）の状態からカバー部４を外した状態の図であって、（ａ）はカバー部４の斜視図、（ｂ）はベース部３の斜視図である。
図３は拡大図であり、（ａ）は、図２の（ｂ）のベース部３を左上方から見下ろした部分詳細斜視図であり、（ｂ）は図１の（ａ）を左上方から見下ろした部分詳細斜視図である。
図４は、図３の（ｂ）で、線ＬでＡ−Ａ方向に切断した断面を右側から見た詳細断面図である。
【００２７】
以上の図１、図２から明らかなように、本発明のカード用コネクタ１は、カバー部４と、コンタクト５およびイジェクトバー６を有するベース部３とからなっている。
カバー部４は金属板を折り曲げ加工することにより形成され、天板部４１と、天板部４１から垂下する両側２つの側板部４２を有する。
側板部４２には、天板部４１との折り曲げ部４４にまで達する複数の係止穴４３と、天板部４１と同一平面（板面）をなして係止穴４３側に突出する平坦部４５を有する。係止穴４３と平坦部４５は、側板部４２の折り曲げ加工時に打ち抜き形成する。
【００２８】
ベース部３は、樹脂製の底板部３１と、底板部３１から起立する左右２つの金属製の側板部３２からなる。
側板部３２は、その下縁から水平方向に張り出した埋設板部３３を有し、この埋設板部３３を底板部３１の底面側にモールドインすることにより、底板部３１と一体化されている。側板部３２には、外方への打ち出しにより複数の係止突部３４が形成され、側板部３２の上縁（頂部）で係止突部３４に対応する位置に突き当て突部３５が形成されている。
【００２９】
コンタクト５は、弾性金属板から打ち抜き形成され、接触ばね部５１と、保持部５２と、端子部５３を有する。
コンタクト５は保持部５２をベース部３の底板部３１の底面側にモールドインにより保持されており、接触ばね部５１は底板部３１に設けた穴を介して底板部３１の上面側に突出し、端子部５３は底板部３１の底面に露出している。
【００３０】
コンタクト５は、側板部３２のモールドイン時に同時に底板部３１にモールドインする。なお、ベース部３の底板部３１は側板部３２と埋設板部３３との間の折り曲げＲ部を埋め、側板部３２の内面と底板部３１の上面とのなす角の角度が略直角をなすように樹脂成形されている。
コンタクトの以上のような埋設の仕方の他、カードの端子構成により、カードスロットの奥部に配置したり、別体のコネクタ部として形成したり、種々の変更が考えられる。
【００３１】
イジェクトバー６は樹脂製で、ベース部３の一方の側板部３２に沿って前後方向に移動可能に保持されており、カードスロット２１内でカード挿抜方向で係合し、コネクタ前端から突出する操作部を指でつかんで前方へ移動させることにより、カード９をカードスロット２１から引き出すことができる。
ただ、イジェクトバーは本発明の要件ではない。
【００３２】
カバー部４とベース部３の組み付けは、カバー部４の両側の側板部４２がベース部３の両側の側板部３２の外側になるようにして被せ、押し下げて行くとカバー部４の側板部４２の下縁が、ベース部３の側板部３２に設けられた複数の係止突部３４（図２の（ｂ）では片側に４個ある）に当接するが更に押し下げると係止突部３４を弾性的に乗り越えて行き、係止穴４３（図２の（ａ）参照）へ係止突部３４が嵌り込みカバー部４が上方へ外れるのを阻止するよう係止するとともに、ベース部３の側板部３２の頂部に設けられた突き当て突部３５（図３の（ａ）参照）がカバー部４の天板部４１と同一面で設けられている平坦部４５の下面に当接し（図３の（ｂ）参照）、カバー部４がそれ以上下ることを阻止する。
これにより、カバー部４の上下方向の動きが共に阻止され、カードスロット２１（図１参照）の所定高さ寸法が確保維持されることになる。
【００３３】
図４は、以上の係止突部３４と係止穴４３の係止状態および突き当て突部３５と平坦部４５下面との当接状態を詳細に示す断面斜視図である。
係止突部３４はベース部３の側板部３２に対し、下部が剪断される打ち出しで形成されている。従って、係止突部３４の下部がカバー部４の係止穴４３の下縁に係止することになる。
【００３４】
また、突き当て突部３５は、ベース部３の側板部３２の上辺（頂部）の一部を、カバー部４の折り曲げ部の内面曲率半径よりわずか大きい寸法で突出するように設けられており、その上端がカバー部４の平坦部４５の下面に当接するようになっている。
側板部３２の突き当て突部３５以外の部分の高さは、突き当て突部３５よりカバー部４の折り曲げ部の内面曲率半径寸法よりわずか大きい寸法だけ低くなっているので、カバー部４の曲げＲ部にはかからず、これを逃げるための面取りも必要なくなっている。カバー部４における係止穴４３と平坦部４５の形成は、折り曲げ前の金属板に平坦部４５が穴の方へ突き出た形の穴を打ち抜きその後平坦部４５を残して折り曲げることにより、平坦部４５は天板部４１と同一面で残り、折れ曲がってできた側板部４２には係止穴４３が形成され、平坦部４５と係止穴４３が一挙に形成されることになる。
【００３５】
以上のように、カバー部４とベース部３を組付けたカード用コネクタ１のカードスロット２１へ図１の（ｂ）のようにカード９を挿入すると、カード９の端子部がコンタクト５の接触ばね部５１と接触して電気的に接続することになる。
なお本実施例では、ベース部３の側板部３２を金属板で形成したが、側板部３２を底板部３１と一体の樹脂で形成するようにしてもよい。
【符号の説明】
【００３６】
１  カード用コネクタ
２  ハウジング
３  ベース部
４  カバー部
５  コンタクト
６  イジェクトバー
９  カード
１０  カバー部
１２  曲げＲ部
１３  カバー側壁
１４  係止穴
１５  ベース部
１６  底壁部
１７  ベース側壁
１８  係止突起
１９  平坦部
２０  面取り部
２１  カードスロット
２２  カードスペース
２４  カバー部
２５  カバー側壁
２６  Ｌ字切欠き
２７  縦切欠き
２８  横切欠き
２９  ベース部
３０  ベース側面
３１  底板部
３２  側板部
３３  埋設板部
３４  係止突部
３５  突き当て突部
３６  係止突起
４１  天板部
４２  側板部
４３  係止穴
４４  折り曲げ部（曲げＲ部）
４５  平坦部
５１  接触ばね部
５２  保持部
５３  端子部
５４  水平方向突片
【図１】
2010238468.tif 000003
【図２】
2010238468.tif 000004
【図３】
2010238468.tif 000005
【図４】
2010238468.tif 000006
【図５】
2010238468.tif 000007
【図６】
2010238468.tif 000008